(57)【特許請求の範囲】
【請求項１】
仮想現実機能部材が設置されているメガネ本体と、
前記メガネ本体の遠端側に組み付けられ、且つ前記メガネ本体の遠端面との間に仮想現実内容を放映するための電子機器を収納する収納室が形成されている蓋体と、を含み、
前記蓋体の内面には第１の挟持部が設けられ、前記メガネ本体の遠端面には第２の挟持部が設けられ、前記第１の挟持部と前記第２の挟持部とは、前記電子機器を前記収納室内に挟持して位置制限し、
前記メガネ本体は、仮想現実機能部材を収容するハウジングを含み、前記ハウジングには第１の開孔が形成されており、
前記仮想現実機能部材は、表示機能構造と制御構造とを含み、前記制御構造は、前記表示機能構造内に位置し、前記制御構造は、前記メガネ本体表面に位置し且つユーザがトリガー操作を実行するように提供されるトリガー部と、前記トリガー部に合わせられて、前記トリガー操作が発生すると、前記トリガー部に合わせられて、末端と前記電子機器とを合わせることで、前記電子機器にプリセット制御命令を入力する転送部と、を含み、前記表示機能構造には、前記第１の開孔に対応する第２の開孔、および前記電子機器に向いている第３の開孔が設けられており、前記トリガー部は、前記第１の開孔を貫通して、前記メガネ本体の表面まで伸出され、前記第２の開孔を貫通して前記転送部に合わせられ、前記転送部の末端は、前記第３の開孔を貫通して、前記電子機器に合わせられることを特徴とする、仮想現実メガネ。
【請求項２】
前記第１の挟持部と前記第２の挟持部とは、弾性材料で製造され、
前記第１の挟持部と前記第２の挟持部とは、前記電子機器に対して押圧し且つ変形されて、前記電子機器を挟持することを特徴とする、
請求項１に記載の仮想現実メガネ。
【請求項３】
前記第１の挟持部は、前記蓋体の内側に接着されているフォームパッドを含むことを特徴とする、
請求項２に記載の仮想現実メガネ。
【請求項４】
前記第２の挟持部は、前記メガネ本体の遠端面に固設されているシリコーンパッドを含むことを特徴とする、
請求項２に記載の仮想現実メガネ。
【請求項５】
前記第１の挟持部は、前記蓋体の内側に固設されている幾つかの吸盤を含み、
前記吸盤は、前記電子機器の裏板を吸着することを特徴とする、
請求項１に記載の仮想現実メガネ。
【請求項６】
前記蓋体は、下縁で前記メガネ本体に回動可能に接続されることを特徴とする、
請求項１に記載の仮想現実メガネ。
【請求項７】
前記蓋体の上縁と側縁にはジッパー構造が設けられ、
前記ジッパー構造は、前記蓋体と前記メガネ本体とを接続するのに用いられることを特徴とする、
請求項６に記載の仮想現実メガネ。
【請求項８】
前記ハウジングは、フォームホット成型によって形成されることを特徴とする、
請求項１に記載の仮想現実メガネ。
【請求項９】
前記トリガー部は、前記トリガー操作の下でプリセット方向に沿って運動して、前記転送部を押圧し、
前記転送部は押圧されると、プリセット回転軸の周りに回転して、前記転送部の末端を前記電子機器に合わせることを特徴とする、
請求項１に記載の仮想現実メガネ。
【請求項１０】
前記仮想現実機能部材には、弾性構造が設けられており、前記弾性構造は、押圧された前記転送部に合わせて変形し、前記転送部のリセット傾向を維持させることを特徴とする、
請求項９に記載の仮想現実メガネ。
【請求項１１】
前記トリガー部は、リセットバネシートと、前記リセットバネシートに固設されているトリガーボタンと、を含み、
前記トリガーボタンは、前記トリガー操作に応じて、前記プリセット方向に沿って運動し、前記リセットバネシートを変形させて、前記リセットバネシートと前記トリガーボタンのリセット傾向を形成することを特徴とする、
請求項９に記載の仮想現実メガネ。
【請求項１２】
前記トリガー部は、金属ボタンを含み、前記転送部は、導電性部材を含み、前記トリガー操作に応じて、前記導電性部材の先端は、前記金属ボタンに電気的に接続されるし、末端は、前記電子機器のタッチスクリーンに接触されて、前記プリセット制御命令を入力することを特徴とする、
請求項１に記載の仮想現実メガネ。
【請求項１３】
前記導電性部材は、導電性プラスチック部材を含むことを特徴とする、
請求項１２に記載の仮想現実メガネ。
【請求項１４】
前記メガネ本体の外部には、ヘッドベルトが設けられており、
前記ヘッドベルトは、
第１の側辺接続ベルトと、第２の側辺接続ベルトと、頂部接続ベルトと、を含み、
前記第１の側辺接続ベルトの第１の端部と前記第２の側辺接続ベルトの第１の端部とは、前記メガネ本体の両側に対称的に接続されており、
前記頂部接続ベルトの第１の端部は、前記メガネ本体の頂部の中央に接続され、
前記第１の側辺接続ベルトの第２の端部と前記第２の側辺接続ベルトの第２の端部とは、前記頂部接続ベルトの第２の端部と一点で接続されることを特徴とする、
請求項１に記載の仮想現実メガネ。
【発明の詳細な説明】
【技術分野】
【０００１】
本願は、２０１６年７月２７日に出願された中国特許出願番号２０１６１０６０５３７８．３に基づいて提出され、該中国特許出願の優先権を主張する。該中国特許出願の全ての内容は、本明細書中に参考として援用される。
【０００２】
本発明は、仮想現実の技術分野に関し、特に、仮想現実メガネに関する。
【背景技術】
【０００３】
仮想現実（Ｖｉｒｔｕａｌ  Ｒｅａｌｉｔｙ、ＶＲ）技術は、コンピュータシミュレーションシステムであって、模擬環境を生成することができ、三次元の動的なシーンと実体の行動とのインタラクション等の方式により、ユーザに没入型アプリケーションの体験を提供する。
【０００４】
従来の技術において、仮想現実機能部材を含む仮想現実メガネを提供し、ユーザの携帯電話、タブレット等の電子機器で仮想現実内容の放映することにより、シンプルで、低価の仮想現実技術案が提供される。
【０００５】
しかしながら、異なる電子機器の間にはサイズ、仕様、材料等に大きな違いがあるため、従来の技術における仮想現実メガネは、多くの場合、電子機器に対して効果的に位置制限を行うことができず、これにより電子機器の使用中に振動や揺れ等の現象が発生しやすくなり、ユーザの使用中の没入感に影響を与えるうえで、更にユーザの眩暈等の不快感を引き起こす可能性があった。
【発明の概要】
【課題を解決するための手段】
【０００６】
本発明は、仮想現実メガネを提供し、従来の技術における問題点を解決する。
【０００７】
本発明の第１の様態によれば、仮想現実機能部材が設置されているメガネ本体と、前記メガネ本体の遠端側に組み付けられ、且つ前記メガネ本体の遠端面との間に仮想現実内容を放映するための電子機器を収納する収納室が形成されている蓋体と、を含み、前記蓋体の内面には第１の挟持部が設けられ、前記メガネ本体の遠端面には第２の挟持部が設けられ、前記第１の挟持部及び前記第２の挟持部は、前記電子機器を前記収納室内に挟持して位置制限する、仮想現実メガネを提供する。
【０００８】
好ましくは、前記第１の挟持部及び前記第２の挟持部は、弾性材料で製造され、前記第１の挟持部及び前記第２の挟持部は、前記電子機器に対して押圧し且つ変形されて、前記電子機器を挟持する。
【０００９】
好ましくは、前記第１の挟持部は、前記蓋体の内側に接着されているフォームパッドを含む。
【００１０】
好ましくは、前記第２の挟持部は、前記メガネ本体の遠端面に固設されているシリコーンパッドを含む。
【００１１】
好ましくは、前記第１の挟持部は、前記蓋体の内側に固設されている幾つかの吸盤を含み、前記吸盤は、前記電子機器の裏板を吸着する。
【００１２】
好ましくは、前記蓋体は、下縁で前記メガネ本体にヒンジ接続される。
【００１３】
好ましくは、前記蓋体の上縁と側縁にはジッパー構造が設けられ、前記ジッパー構造は、前記蓋体と前記メガネ本体とを接続するのに用いられる。
【００１４】
好ましくは、前記仮想現実機能部材は制御構造を含み、前記制御構造は、前記メガネ本体の表面に位置し、且つユーザがトリガー操作を実行するように提供されるトリガー部と、前記トリガー部に合わせられて、前記トリガー操作が発生すると、前記トリガー部に合わせられて、前記転送部の末端と前記電子機器とを合わせることで、前記電子機器にプリセット制御命令を入力する転送部と、を含む。
【００１５】
好ましくは、前記メガネ本体は、第１の開孔が形成されているハウジングと、前記ハウジング内に位置する前記仮想現実機能部材と、を含み、前記仮想現実機能部材は表示機能構造と前記制御構造とを含み、前記制御構造は、前記表示機能構造内に位置し、前記表示機能構造には、前記第１の開孔に対応する第２の開孔、および前記電子機器に向いている第３の開孔が設けられており、前記トリガー部は、前記第２の開孔、および前記第１の開孔を順次に貫通して、前記メガネ本体の表面まで伸出され、前記転送部の末端は、前記第三開孔を貫通して、前記電子機器に合わせられる。
【００１６】
好ましくは、前記ハウジングは、フォームホットライクラ生地で成型される。
【００１７】
好ましくは、前記トリガー部は、前記トリガー操作の下でプリセット方向に沿って運動して、前記転送部を押圧し、前記転送部は押圧されると、プリセット回転軸の周りに回転して、前記転送部の末端を前記電子機器に合わせる。
【００１８】
好ましくは、前記仮想現実機能部材には、弾性構造が設けられており、前記弾性構造は、押圧された前記転送部に合わせて変形し、前記転送部のリセット傾向を維持させる。
【００１９】
好ましくは、前記トリガー部は、リセットバネシートと、前記リセットバネシートに固設されているトリガーボタンと、を含み、前記トリガーボタンは、前記トリガー操作に応じて、前記プリセット方向に沿って運動し、前記リセットバネシートを変形させて、前記リセットバネシート及び前記トリガーボタンのリセット傾向を形成する。
【００２０】
好ましくは、前記トリガー部は金属ボタンを含み、前記転送部は、導電性部材を含み、前記トリガー操作に応じて、前記導電性部材の先端は、前記金属ボタンに電気的に接続され、末端は、前記電子機器のタッチスクリーンに接触して、前記プリセット制御命令を入力する。
【００２１】
好ましくは、前記導電性部材は導電性プラスチック部材を含む。
【００２２】
好ましくは、前記メガネ本体の外部にはヘッドベルトが設けられており、前記ヘッドベルトは、第１の側辺接続ベルトと、第２の側辺接続ベルトと、頂部接続ベルトと、を含み、前記第１の側辺接続ベルトの第１の端部と前記第２の側辺接続ベルトの第１の端部とは前記メガネ本体の両側に対称的に接続されており、前記頂部接続ベルトの第１の端部は前記メガネ本体の頂部の中央に接続され、前記第１の側辺接続ベルトの第２の端部と前記第２の側辺接続ベルトの第２の端部とは前記頂部接続ベルトの第２の端部と一点で接続される。
【発明の効果】
【００２３】
本発明の実施例で提供する技術案は、以下のような有益な効果を得ることができる。
【００２４】
上記の実施例から分かるように、本発明は、第１の挟持部と第２の挟持部とが反対方向から電子機器をそれぞれ挟持するため、仮想現実メガネがある程度偶発的に揺れたり、ユーザが仮想現実メガネを着用している間に歩いたり、頭をあげたり、頭を下げたり、頭を回したり等の動作による揺れがあっても、電子機器はメガネ本体と蓋体との間の収納室内に安定的に位置制限されて、ユーザ視線に対する電子機器の放映内容の偏移、揺れ等が生じることを避け、ユーザの没入型体験に影響せず、ユーザが画面の揺れで眩暈等の不快感を感じることを避けることができる。
【００２５】
以上の一般的な説明と後述の詳細な説明とは、例示的なものに過ぎず、本発明を限定するものではないことを理解すべきである。
【図面の簡単な説明】
【００２６】
添付の図面は、明細書に組み入れられて、本明細書の一部を構成し、本発明に適合する実施例を示し、明細書と共に本発明の原理を解釈するのに用いられる。
【図１】本発明の一例示的な実施例により示される仮想現実メガネの斜視構成図である。
【図２Ａ】本発明の一例示的な実施例により示される仮想現実メガネと電子機器とを合わせた模式図である。
【図２Ｂ】本発明の一例示的な実施例により示される他の仮想現実メガネと電子機器との対応模式図である。
【図３】本発明の一例示的な実施例により示される他の仮想現実メガネの斜視構成図である。
【図４】本発明の一例示的な実施例により示される仮想現実メガネにおける制御構造の分解構成図である。
【図５】本発明の一例示的な実施例により示される仮想現実メガネの制御構造と表示機能構造の組立図である。
【図６】本発明の一例示的な実施例により示される仮想現実機能部材とハウジングの組立図である。
【図７】図６に示されるＡＡ領域の部分拡大図である。
【発明を実施するための形態】
【００２７】
ここでは、例示的な実施例について、その実例を図面に示して詳しく説明する。以下の説明が図面に関わる場合、特別な説明がない限り、異なる図面における同じ符号は、同一又は類似の要素を示している。以下の例示的な実施例に記載された実施形態は、本発明と合致する全ての実施形態を代表するわけではない。反対に、それらは添付の特許請求の範囲に記載された本発明の一部の態様と合致する装置及び方法の例に過ぎない。
【００２８】
図１は、本発明の一例示的な実施例により示される仮想現実メガネの斜視構成図である。図２Ａは、本発明の一例示的な実施例により示される仮想現実メガネと電子機器とを合わせた模式図である。図１〜図２Ａに示されるように、当該仮想現実メガネは、以下のようなものを含むことができる。
【００２９】
メガネ本体１であって、当該メガネ本体１内に仮想現実機能部材１１が設置されている。
【００３０】
蓋体２であって、当該蓋体２は、メガネ本体１の遠端側に組み付けられ、且つ蓋体２とメガネ本体１の遠端面との間に仮想現実内容を放映するための電子機器９を収納する収納室が形成されている。ユーザは、仮想現実メガネを顔に着用する必要があるため、仮想現実メガネの各部材とユーザとの間の相対的な遠近関係に基づき、上記の「遠端」を得ることができる。例えば、図１〜図２Ａに示される仮想現実メガネについて、ユーザが着用する時に、当該仮想現実メガネに対してｘ−方向に位置し、即ち、仮想現実メガネのｘ−方向は、ユーザに比較的に近い、ｘ＋方向は、ユーザに比較的に遠いので、図１〜図２Ａに示されるｘ＋方向は、当該仮想現実メガネのユーザに対する遠端側であり、メガネ本体１の当該ｘ＋方向上の端面が遠端面である。
【００３１】
更に、在蓋体２の内面には第１の挟持部３１が設けられ、メガネ本体１の遠端面には第２の挟持部３２が設けられて、第１の挟持部３１と第２の挟持部３２とがｘ＋方向とｘ−方向から電子機器をそれぞれ挟持しているため、仮想現実メガネがある程度偶発的に揺れたり、ユーザが仮想現実メガネを着用している間に歩き、頭上げ、頭下げ、頭回し等の動作による揺れがあっても、電子機器９はメガネ本体１と蓋体２との間の収納室内に安定的に位置制限されて、ユーザの視線に対する電子機器９の放映内容の偏移、揺れ等が生じることを避けて、ユーザの没入型体験に影響せず、ユーザが画面の揺れで眩暈等の不快感を感じることを避けることができる。
【００３２】
一実施例において、第１の挟持部３１と第２の挟持部３２とは、弾性部材で製造されて、電子機器９を収納室に配置させた後に、第１の挟持部３１と第２の挟持部３２とは、スペース制限による変形が生じ、電子機器９に対する押圧が形成されて、電子機器９に対する挟持の安定度を更に高めることができる。
【００３３】
例えば、第１の挟持部３１は、蓋体２の内側に接着されているフォームパッドあり、例えば、ＥＶＡ（ｅｔｈｙｌｅｎｅ〜ｖｉｎｙｌ  ａｃｅｔａｔｅ  ｃｏｐｏｌｙｍｅｒ、エチレン−酢酸ビニル共重合体）フォームパッド等である。第２の挟持部３２は、メガネ本体１の遠端面に固設されているシリコーンパッドであって、シリコーンパッドと電子機器９とを合わせるときに、多くの場合は、電子機器９のスクリーンに接触され、第２の挟持部３２と電子機器９の間の滑り止めの役割を果たすため、電子機器９を挟持する時の安定度を更に高めることができる。
【００３４】
他の実施例において、図３に示されるように、第１の挟持部３１は、蓋体２の内側に固設されている幾つかの吸盤であっても良い。一方では、吸盤は、電子機器９の裏板を吸着して、電子機器９を挟持する時の安定度を更に高めることができる。一方では、吸盤は、電子機器９と蓋体２との間に一定の隙間を形成させることで、電子機器９の放熱に有利である。
【００３５】
上記の実施例において、蓋体２は、予め設定された回転軸に沿って回転して、蓋体２とメガネ本体１の間の開閉等を実現する。蓋体２が開かれたときに、ユーザは、電子機器９を蓋体２とメガネ本体１との間に容易に配置し、蓋体２が閉じられたときに、上記の収納室を形成するとともに、上記の第１の挟持部３１と第２の挟持部３２とで電子機器９を挟持することができる。例えば、図１〜２Ａに示されるように、蓋体２は、下縁で回転可能にメガネ本体１に接続され、蓋体２が下縁でメガネ本体１に合わせて接続されることにより、特に、蓋体２の回転角度に制限がある場合、例えば、最大角度が図１〜２Ａに示される角度（蓋体２が大体水平状態になる）しか開くことができない場合、蓋体２が偶発的に開かれても、電子機器９が落下することを避けて、電子機器９の使用の安全性を高めることができる。例えば、蓋体２は、ヒンジ接続方式でメガネ本体１に接続されることができるが、勿論、本発明はこれを限定するものではない。
【００３６】
ここで、蓋体２が下縁でメガネ本体１に合わせられる場合、蓋体２は、蓋体２とメガネ本体１とが接続するように、上縁、側縁等でメガネ本体１に合わせることができる。例えば、図２Ｂに示されるように、蓋体２の上縁、側縁等にジッパー構造７を設けて、当該ジッパー構造７により蓋体２とメガネ本体１とを接続することができる。係止等の接続構造に比べて、蓋体２が偶発的に開かれて、電子機器９のセキュリティリスクを引き起こすことを避けることで、より高い信頼性を提供することができる。同時に、図２Ｂに示されるように、電子機器９を蓋体２とメガネ本体１との間の収納室に配置した後に、メガネ本体１の外部にヘッドベルトを設けることにより、ユーザは、仮想現実メガネ全体を頭に着用して、没入型の仮想現実体験を実現することができる。
【００３７】
例えば、図２Ｂに示される実施例において、当該ヘッドベルトは、第１の側辺接続ベルト８１と、第２の側辺接続ベルト８２と、頂部接続ベルト８３と、を含むことができ、当該第１の側辺接続ベルト８１の第１の端部と当該第２の側辺接続ベルト８２の第１の端部とは、メガネ本体１の両側に対称的に接続されており、当該頂部接続ベルト８３の第１の端部は、メガネ本体１の頂部の中央に接続され、第１の側辺接続ベルト８１の第２の端部と第２の側辺接続ベルト８２の第２の端部とは、頂部接続ベルト８３の第２の端部と一点で接続される。このようにすると、第１の側辺接続ベルト８１と第２の側辺接続ベルト８２とは、水平方向にリング構造を形成し、仮想現実メガネをユーザの頭に着用すると、頂部接続ベルト８３とリング構造およびメガネ本体１の頂部との接続により、頂部接続ベルト８３はユーザの頭の頂部に合わせられて、仮想現実メガネが垂直方向に落ちることを避けることができるので、最終的に仮想現実メガネの安定的な着用を実現する。
【００３８】
更に、本発明の仮想現実メガネにおいて、仮想現実機能部材１１は制御構造４を含んでおり、ユーザは、当該制御構造４によって仮想現実メガネの内部に配置された電子機器９を制御することができる。図４に示されるように、当該制御構造４は、ユーザがトリガー操作を実行するように提供されるトリガー部４１と、トリガー部４１に合わせることにより、トリガー操作が発生と、電子機器９に合わせて、電子機器９にプリセット制御命令を入力する転送部４２とを含むことができる。
【００３９】
トリガー部４１は、金属ボタン４１１を含むことができ、転送部４２は、導電性部材を含むことができ、トリガー部４１のトリガー操作に応じて、当該導電性部材の先端４２１は、金属ボタン４１１に電気的に接続され、末端４２２は電子機器９のタッチスクリーンに接触して、プリセット制御命令を入力することができる。導電性部材は、導電性プラスチック部材であってもよく、当該導電性部材の末端４２２に導電性シリコーン接点を設けて、当該末端４２２が電子機器９のタッチスクリーンに合わせられた場合、タッチスクリーンを傷つけることを避けることができる。
【００４０】
図５〜図６に示されるように、メガネ本体１がハウジング１２および上記の仮想現実機能部材１１を含む場合、仮想現実機能部材１１は、上記の制御構造４と表示機能構造１１１とを含むことができ、ハウジング１２には、第１の開孔１２１が形成でき、表示機能構造１１１には、当該第１の開孔１２１に対応する第２の開孔１１１Ａが形成でき、トリガー部４１の金属ボタン４１１は、第１の開孔１２１を貫通してメガネ本体１の表面に伸出し、例えば、当該第１の開孔１２１がハウジング１２の頂部に位置する場合、ユーザは、図１に示される仮想現実メガネから当該金属ボタン４１１が見えて触れることができるので、ユーザは容易にトリガー操作を実行し、一方では、金属ボタン４１１は、当該第２の開孔１１１Ａを貫通し、表示機能構造１１１内部に設置される転送部４２に合わせられて、転送部４２の末端４２２が、表示機能構造１１１に電子機器９に向けて開設された第３の開孔１１１Ｂを貫通して電子機器９に合わせられるようにし、例えば、図１において、表示機能構造１１１を貫通した末端４２２を見ることができる。
【００４１】
一実施例において、図４に示されるように、転送部４２に回転軸４２３を含むことができ、当該回転軸４２３は、回動可能に表示機能構造１１１の内部に固定されて、トリガー部４１がトリガー操作の下でプリセット方向に沿って運動して転送部４２を押圧すると、例えば、トリガー部４１が垂直方向に沿って転送部４２の先端４２１を下方へ押圧すると、転送部４２が、回転軸４２３の軸の周りに回転できるので、転送部４２の末端４２２は電子機器９のタッチスクリーンに向けて運動し、当該タッチスクリーンに接触することにより、プリセット制御命令を入力することができる。勿論、転送部４２は、回転軸４２３以外の他の構造又は他の手段によっても回動できるが、本発明はこれを限定するものではない。
【００４２】
更に、当制御構造４は、上記の構造と技術案を採用して、トリガー部４１と転送部４２とがユーザのトリガー操作により運動すると、当該トリガー部４１と転送部４２との運動をリセットすることで、ユーザは、トリガー操作を容易に繰り返すことができる。
【００４３】
トリガー部４１について、図４〜図６に示されるように、トリガー部４１は、金属シート４１２と、当該金属シート４１２の上に固設される金属ボタン４１１（又は他の形態のトリガーボタン、ここでは金属ボタン４１１を例とする）と、を含むことができる。金属シート４１２は、リセットバネシート４１２Ａを含み、金属ボタン４１１は、当該リセットバネシート４１２Ａに固設される。トリガーボタンは、トリガー操作に応じて、プリセット方向に沿って運動し、例えば、金属ボタン４１１が垂直方向に沿って下方へ運動して、リセットバネシート４１２Ａが変形されると、リセットバネシート４１２Ａとリセットバネシート４１２Ａに固設された金属ボタン４１１とはリセットしようとする傾向があり、トリガー操作が消えた後に、金属ボタン４１１は、リセットバネシート４１２Ａによってリセットされて、ユーザは、再び簡単に押すことができる。
【００４４】
転送部４２について、仮想現実機能部材１１内には弾性構造が設けられており、例えば、当該弾性部材は、図４に示されるバネ５であってもよく、当該バネ５は第１の端部５１と第２の端部５２とを含むことができ、第１の端部５１は、転送部４２の凸縁４２４の表面に当接し、第２の端部５２は、表示機能構造１１１の内部に当接し、図７に示されるように、ユーザが金属ボタン４１１を下方へ押すと、金属ボタン４１１はリセットバネシート４１２Ａを介して転送部４２を押圧して、転送部４２を回転させるとともに、凸縁４２４によりバネ５の第１の端部５１を押圧するが、バネ５の第２の端部５２（図７には図示しない）が表示機能構造１１１の内部に当接されているので、バネ５は、押圧された転送部４２に合わせて変形して、転送部４２のリセット傾向を維持する。
【００４５】
同時に、ユーザがトリガー操作を実行した場合、対応するボタン行程フィードバックを得るように、上記のリセットバネシート４１２Ａ、バネ５等の構造により、トリガー部４１と転送部４２とのリセットを実現して、ユーザの操作のより良い感触を得ることができる。
【００４６】
勿論、本発明の実施例において、制御構造４を一つだけ含んでいるが、本発明の仮想現実メガネは、一個以上の制御構造４を含むことができるし、例えば、制御構造４が複数存在する場合、それぞれ対応する制御機能を実現するように用いられ、各制御構造４は本発明で提供されているいずれかの実施例の構造を採用することができるが、ここで省略する。
【００４７】
図５〜図６に示されるハウジング１２は、プラスチック、フォーム等の任意の材料で製造することができ、例えば、本発明におけるハウジング１２は、ＥＶＡフォームホットライクラ生地で成型されるので、仮想現実メガネ全体の重量を減らすことができ、ユーザが仮想現実メガネを頭に着用したときの負荷を軽減し、一方では、ハウジング１２がユーザの顔の皮膚に接触するときのユーザの快適性を高めることができる。
【００４８】
当業者であれば、明細書を考慮しここに開示される発明を実践した上で、本発明のその他の実施態様を容易に想到できる。本願は、本発明の任意の変形、用途又は適応の変化を含むことを意図しており、これらの変形、用途又は適応の変化は本発明の一般的な原理に準じ、本発明に開示されていない当該技術分野における一般的な知識や慣用の技術手段を含む。明細書と実施例は、例示的なものに過ぎず、本発明の実際の範囲と精神は、添付の特許請求の範囲によって決められる。
【００４９】
本発明は、上記の説明及び図面に示される正確な構造に限定されることなく、その要旨を逸脱しない範囲内で様々な補正や変更を行うことができる。本発明の範囲は、添付の特許請求の範囲のみによって限定される。 
【図１】
0006588078.tif 000002
【図２Ａ】
0006588078.tif 000003
【図２Ｂ】
0006588078.tif 000004
【図３】
0006588078.tif 000005
【図４】
0006588078.tif 000006
【図５】
0006588078.tif 000007
【図６】
0006588078.tif 000008
【図７】
0006588078.tif 000009